(57)【特許請求の範囲】
【請求項１】
無線通信方法であって、
ベースステーションにより、メディアアクセス制御（ＭＡＣ）層動作のパラメータサブセットを、前記パラメータサブセットがサポートする１以上のニューメロロジーを示すニューメロロジー情報に部分的に基づいて構成するステップ、
前記ベースステーションにより、物理層において端末に対してダウンリンク制御情報（ＤＣＩ）を送信するステップであって、前記ＤＣＩは前記パラメータサブセットのＩＤを有する、ステップ、
前記ベースステーションにより、前記パラメータサブセットにしたがって前記端末との通信を実施するステップであって、前記通信のスケジューリングのために用いる前記パラメータサブセットの一部は前記ＤＣＩ内の前記パラメータサブセットのＩＤに基づき決定される、ステップ、
を有する
ことを特徴とする方法。
【請求項２】
無線通信方法であって、
端末により、１以上のシグナリングメッセージに基づいて、メディアアクセス制御（ＭＡＣ）層動作のパラメータサブセットについての情報を受信するステップであって、前記パラメータサブセットは、前記パラメータサブセットがサポートする１以上のニューメロロジーを示すニューメロロジー情報に部分的に基づいて構成されている、ステップ、
前記端末により、物理層においてダウンリンク制御情報（ＤＣＩ）を受信するステップであって、前記ＤＣＩは前記パラメータサブセットのＩＤを有する、ステップ、
前記端末により、前記パラメータサブセットのＩＤにしたがって、通信のスケジューリングのために用いる前記パラメータサブセットの一部を決定するステップ、
前記パラメータサブセットにしたがって、前記端末により前記通信を実施するステップ、
を有する
ことを特徴とする方法。
【請求項３】
前記パラメータサブセットはさらに、前記パラメータサブセットのＩＤを含む
ことを特徴とする請求項１または２記載の方法。
【請求項４】
前記パラメータサブセットはさらに、ランダムアクセスチャネル（ＲＡＣＨ）プロセスについての構成情報を含む
ことを特徴とする請求項１または２記載の方法。
【請求項５】
前記パラメータサブセットはさらに、半永続スケジューリング（ＳＰＳ）についての構成情報を含む
ことを特徴とする請求項１または２記載の方法。
【請求項６】
無線通信装置であって、
プロセッサ、
前記プロセッサが実行したとき前記プロセッサに、
メディアアクセス制御（ＭＡＣ）層動作のパラメータサブセットを、前記パラメータサブセットがサポートする１以上のニューメロロジーを示すニューメロロジー情報に部分的に基づいて構成するステップ、
物理層において端末に対してダウンリンク制御情報（ＤＣＩ）を送信するステップであって、前記ＤＣＩは前記パラメータサブセットのＩＤを有する、ステップ、
前記パラメータサブセットにしたがって前記端末との通信を実施するステップであって、前記通信のスケジューリングのために用いる前記パラメータサブセットの一部は前記ＤＣＩ内の前記パラメータサブセットのＩＤに基づき決定される、ステップ、
を実施させるプロセッサ実行可能コードを格納したメモリ、
を備える
ことを特徴とする装置。
【請求項７】
無線通信装置であって、
プロセッサ、
前記プロセッサが実行したとき前記プロセッサに、
１以上のシグナリングメッセージに基づいて、メディアアクセス制御（ＭＡＣ）層動作のパラメータサブセットについての情報を受信するステップであって、前記パラメータサブセットは、前記パラメータサブセットがサポートする１以上のニューメロロジーを示すニューメロロジー情報に部分的に基づいて構成されている、ステップ、
物理層においてダウンリンク制御情報（ＤＣＩ）を受信するステップであって、前記ＤＣＩは前記パラメータサブセットのＩＤを有する、ステップ、
前記パラメータサブセットのＩＤにしたがって、通信のスケジューリングのために用いる前記パラメータサブセットの一部を決定するステップ、
前記パラメータサブセットにしたがって前記通信を実施するステップ、
を実施させるプロセッサ実行可能コードを格納したメモリ、
を備える
ことを特徴とする装置。
【請求項８】
前記パラメータサブセットはさらに、前記パラメータサブセットのＩＤを含む
ことを特徴とする請求項６または７記載の装置。
【請求項９】
前記パラメータサブセットはさらに、ランダムアクセスチャネル（ＲＡＣＨ）プロセスについての構成情報を含む
ことを特徴とする請求項６または７記載の装置。
【請求項１０】
前記パラメータサブセットはさらに、半永続スケジューリング（ＳＰＳ）についての構成情報を含む
ことを特徴とする請求項６または７記載の装置。
【請求項１１】
プロセッサが実行することにより、前記プロセッサに、請求項１から５のいずれか１項記載の方法を実行させるコードを格納したことを特徴とする記憶媒体。
【発明の詳細な説明】
【技術分野】
【０００１】
関連出願への相互参照
本願は、２０１７年３月２４日に出願された中国特許出願第２０１７１０１８４３１８．３号に基づいており、その優先権を主張するものであり、この文献の開示内容は、参照により全体が本願に援用される。
【０００２】
本開示は、通信の分野に関し、特に、ニューメロロジー（numerology）構成方法および装置、並びに記憶媒体に関する。
【背景技術】
【０００３】
将来において予想されるより高度で、より高速で、より新しい通信要件に対応するために、当業界は、将来の５Ｇテクノロジーに関する研究を開始している。５Ｇ技術は、より高いスループット、より多くのユーザ接続、より低い遅延、より高い信頼性、より低い電力消費（ネットワーク側機器、ユーザ機器を含む）等の観点から更に研究される。
【発明の概要】
【発明が解決しようとする課題】
【０００４】
５Ｇ技術にシステムパラメータセット（すなわち、ニューメロロジー）が導入された後、メディアアクセス制御（media access control：ＭＡＣ）層が、様々なサービスの様々な要求を満たすために複数のニューメロロジーをサポートしながら、どのように様々な機能の正常な動作を維持し、様々な機能の効率を最大化するかについての有効な解決策は現在のところ存在しない。
【課題を解決するための手段】
【０００５】
前述の技術的問題を解決するために、本開示の実施形態は、ニューメロロジー構成方法および装置、並びに記憶媒体を提供する。
【０００６】
本開示の一実施形態は、ニューメロロジー構成方法を提供する。
【０００７】
ニューメロロジー構成方法は、以下のステップを含む。
【０００８】
ＭＡＣ層動作用にパラメータサブセットが構成され、ＭＡＣパラメータサブセットは、ＭＡＣパラメータサブセットの識別子、ＭＡＣパラメータサブセットの優先順位、ＭＡＣパラメータサブセットによってサポートされる送信時間間隔（transmission time interval：ＴＴＩ）情報またはニューメロロジー情報、各ニューメロロジーに対応する論理チャネル優先順位（logical channel prioritization：ＬＣＰ）構成情報、論理チャネルとＭＡＣパラメータサブセットの間のマッピング関係、各ニューメロロジーに対応する不連続受信（discontinuous reception：ＤＲＸ）構成情報、各ニューメロロジーに対応するハイブリッド自動反復要求（hybrid automatic repeat request：ＨＡＲＱ）構成情報、各ニューメロロジーに対応するスケジューリング要求（scheduling request：ＳＲ）構成情報、バッファ状態レポート（buffer status report：ＢＳＲ）情報、ニューメロロジーに関連するランダムアクセスチャネル（random access channel：ＲＡＣＨ）処理に関する構成情報、ニューメロロジーに関連する半永続スケジューリング（semi-persistent scheduling：ＳＰＳ）に関する構成情報、ＭＡＣデータパケットのフォーマット構成情報、または電力ヘッドルームレポート（power headroom report：ＰＨＲ）が報告する構成情報のうちの少なくとも１つを含む。
【０００９】
本開示の別の実施形態は、構成モジュールを含むニューメロロジー構成装置を提供する。
【００１０】
構成モジュールは、ＭＡＣ層動作のパラメータサブセットを構成するように構成され、ＭＡＣパラメータサブセットは、ＭＡＣパラメータサブセットの識別子、ＭＡＣパラメータサブセットの優先順位、ＭＡＣパラメータサブセットによってサポートされるＴＴＩ情報または１つ以上のニューメロロジーを示すニューメロロジー情報、各ニューメロロジーに対応するＬＣＰ構成情報、論理チャネルとＭＡＣパラメータサブセットの間のマッピング関係、各ニューメロロジーに対応するＤＲＸ構成情報、各ニューメロロジーに対応するＨＡＲＱ構成情報、各ニューメロロジーに対応するＳＲ構成情報、ＢＳＲ情報、ニューメロロジーに関連するＲＡＣＨ処理に関する構成情報、ニューメロロジーに関連するＳＰＳの構成情報、ＭＡＣデータパケットのフォーマット構成情報、またはＰＨＲが報告する構成情報のうちの少なくとも１つを含む。
【００１１】
ニューメロロジー構成装置は、プロセッサおよびメモリを含み、メモリは、プロセッサによって実行されると、ＭＡＣ層動作のＭＡＣパラメータサブセットを構成するステップを有する方法を実施するコンピュータ実行可能命令を格納するように構成され、ＭＡＣパラメータサブセットは、ＭＡＣパラメータサブセットの識別子、ＭＡＣパラメータサブセットの優先順位、ＭＡＣパラメータサブセットによってサポートされるＴＴＩ情報またはニューメロロジー情報、各ニューメロロジーに対応するＬＣＰ構成情報、論理チャネルとＭＡＣパラメータサブセットの間のマッピング関係、各ニューメロロジーに対応するＤＲＸ構成情報、各ニューメロロジーに対応するＨＡＲＱ構成情報、各ニューメロロジーに対応するＳＲ構成情報、ＢＳＲ情報、ニューメロロジーに関連するＲＡＣＨ処理に関する構成情報、ニューメロロジーに関連するＳＰＳに関する構成情報、ＭＡＣデータパケットのフォーマット構成情報、またはＰＨＲが報告する構成情報のうちの少なくとも１つを含む。
【００１２】
記憶媒体は、コンピュータ実行可能命令が実行されると、上述の任意の１つの方法のステップを実施するためのコンピュータ実行可能命令を格納するように構成されている。
【００１３】
本開示の実施形態におけるニューメロロジー構成方法および装置並びに記憶媒体により、ＭＡＣ層は、様々なサービスの要件を満たすために複数のニューメロロジーをサポートしながら、様々な機能の通常の動作を維持し、様々な機能の効率を最大化することができる。
【００１４】
本開示の更なる特徴および利点は、以下の説明に記述され、一部は、以下の記述から明らかになるか、または本開示を実施することによって理解される。本開示の目的および他の利点は、特に明細書、特許請求の範囲および図面に示された構造によって達成および獲得される。
【００１５】
図面は、本開示の技術的解決策の更なる理解を提供するために使用され、本明細書の一部を構成し、本願の実施形態に関連する本開示の技術的解決策を説明する。
【図面の簡単な説明】
【００１６】
【図１】ロングタームエボリューション（ＬＴＥ）システムにおけるＭＡＣ層の構造図である。
【図２】本開示の一実施形態に基づくニューメロロジー構成方法のフローチャートである。
【図３】本開示の一実施形態に基づくＭＡＣ層の構造の概略図である。
【図４】本発明の一実施形態に基づくニューメロロジー構成装置の構成図である。
【発明を実施するための形態】
【００１７】
本開示の目的、技術的解決策および利点は、図面を参照する本開示の実施形態の詳細な説明からより明瞭となる。なお、矛盾が生じない限り、本願の実施形態およびその特徴は、組み合わせることができる。
【００１８】
図中のフローチャートに示されるステップは、コンピュータシステム、例えば、命令を実行可能なコンピュータのグループ等によって実行してもよい。フローチャートには論理的順序を示しているが、ここに示しまたは説明するステップは、幾つかの場合において、ここに記述するものとは異なる順序で実行してもよい。
【００１９】
ロングタームエボリューション（Long Term Evolution：ＬＴＥ）システムにおけるＭＡＣ層の構造を図１に示す。ＭＡＣ層は、主に、トランスポートチャネルを介して論理チャネルのデータ送信を行い、無線リソースを割り当ててＨＡＲＱ、ＬＣＰ処理、多重化（ＭＵＸ）／逆多重化を実現するとともに、ランダムアクセス制御、ＤＲＸレポーティング、ＳＲ、ＢＳＲ、ＰＨＲ、ＡＣＴＩＶＥ／ＤＥＡＣＴＩＶＥ、ＰＤＣＣＨ監視、タイムアライメント（ＴＡ）保守、ＳＰＳ等の機能も実現する。
【００２０】
現在、当業界は、５Ｇ技術の目標として、２０２０年までに、地域あたりのモバイルデータサービスを１０００倍、ユーザ機器（user equipment：ＵＥ）あたりのスループットを１０〜１００倍、接続デバイス数を１０〜１００倍、低電力デバイスのバッテリ駆動時間を１０倍、エンドツーエンドの遅延を５分の１にすることを提案している。アプリケーションシナリオの観点から、５Ｇは、遅延に対する要求が異なる超高速モバイルブロードバンド（enhanced mobile broadband：ｅＭＢＢ）サービス、大規模機械型通信（massive machine type communication：ｍＭＴＣ）サービス、超高信頼低遅延通信（ultra reliable and low latency communication：ＵＲＬＬＣ）サービスをサポートする統一技術アーキテクチャを採用する。異なるサービス要件を満たすために、通信システムによって使用されるパラメータのセットを指し、サブキャリア間隔、シンボル長、巡回プレフィックス（ＣＰ）長等を含む、ニューメロロジー（numerology）の概念が提案されている。ＬＴＥ／ＬＴＥ−Ａのサブキャリア間隔（subcarrier spacing：ＳＣＳ）は、１５ｋＨｚに固定されているが、５ＧのＳＣＳは、１５＊（２＾ｎ）ｋＨｚに設定されており、ここで、ｎは、負の数であってもよい。すなわち、ＳＣＳは、３．７５ｋＨｚ、７．５ｋＨｚ、１５ｋＨｚ、３０ｋＨｚ、６０ｋＨｚ、１２０ｋＨｚ等に設定でき、ＳＣＳの値は、時間領域におけるシンボル長に直接影響する。それぞれのニューメロロジーは、異なるＴＴＩ持続時間に対応している。
【００２１】
ニューメロロジーが導入された後、既存の技術では、ＭＡＣ層が、異なるサービスの異なる要件を満たすために、複数のニューメロロジーをサポートしながら、様々な機能の通常の動作をどのように維持し、様々な機能の効率をどのように最大化するかについての効果的な解決策は存在していない。本願は、ＭＡＣ層が、異なるサービスの要件を満たすために、複数のニューメロロジーをサポートしながら、様々な機能の通常の動作を維持し、様々な機能の効率を最大化することを保証するニューメロロジー構成方法および装置を開示している。
【００２２】
図２に示すように、本願におけるニューメロロジー構成方法は、以下に説明するステップを含むことができる。
【００２３】
ステップ２０１では、ＭＡＣ層動作のためにパラメータサブセットが構成される。パラメータサブセットについては、ＭＡＣパラメータサブセットの識別子、ＭＡＣパラメータサブセットの優先順位、ＭＡＣパラメータサブセットによってサポートされるＴＴＩ情報または１つ以上のニューメロロジーを示すニューメロロジー情報、各ニューメロロジーに対応するＬＣＰ構成情報、論理チャネル（ＬＣ）とＭＡＣパラメータサブセットの間のマッピング関係、各ニューメロロジーに対応するＤＲＸ構成情報、各ニューメロロジーに対応するＨＡＲＱ構成情報、各ニューメロロジーに対応するＳＲ構成情報、現在のＭＡＣパラメータサブセットで送信可能な論理チャネルグループ（ＬＣＧ）のＢＳＲを示すために使用されるＢＳＲ情報、ニューメロロジーに関連するＲＡＣＨ処理に関する構成情報、ニューメロロジーに関連するＳＰＳの構成情報、ＭＡＣデータパケットのフォーマット構成情報、またはＰＨＲが報告する構成情報のパラメータのうちの少なくとも１つが構成される。
【００２４】
ステップ２０２では、ＭＡＣパラメータサブセットに基づいて通信が実行される。
【００２５】
本願が提供するニューメロロジー構成方法により、ＭＡＣ層は、複数のニューメロロジーをサポートしながら、様々な機能の通常の動作を維持し、様々な機能の効率を最大化でき、異なるサービスの要件を満たすことができる。
【００２６】
実際のアプリケーションでは、ＵＥおよび基地局等の通信デバイスのＭＡＣ層においてＭＡＣパラメータサブセットを構成し、ＵＥや基地局等の通信デバイスがＭＡＣパラメータサブセットに基づいて通信を行うようにしてもよい。例えば、ネットワーク側は、共通シグナリングメッセージおよび／または専用シグナリングメッセージを介して、ＭＡＣパラメータサブセットを端末に通知してもよく、ＭＡＣパラメータサブセットを受信した端末は、ＭＡＣ層においてＭＡＣパラメータサブセットを構成し、ＭＡＣパラメータサブセットに基づいて通信を行ってもよい。
【００２７】
幾つかの実施形態では、ＭＡＣパラメータサブセットに基づいて通信を実行するステップは、ＭＡＣパラメータサブセットの構成に応じて、ＭＡＣパラメータサブセットの一部を使用して、ネットワーク側から毎回受信するリソーススケジューリングを送信または受信することを含むことができる。リソーススケジューリングの複数のインスタンスに応じて、リソーススケジューリングの複数のインスタンスの送信または受信は、異なるＭＡＣパラメータサブセットを使用して実行してもよい。
【００２８】
幾つかの実施形態では、ＭＡＣ層において複数のＭＡＣパラメータサブセットが構成された後、本方法は、更に、物理層からスケジューリング情報を受信し、受信した物理層のスケジューリング情報に基づいて、現在の送信のスケジューリングに用いるＭＡＣパラメータのサブセットを判定し、ＭＡＣパラメータのサブセットに基づいて通信を行うことを含むことができる。ここで、現在のスケジューリングのために使用されるＭＡＣパラメータサブセットは、物理層のダウンリンク制御情報（ＤＣＩ）等のリソーススケジューリング情報に含まれるＭＡＣパラメータサブセットの識別子（ＩＤ）（トランスポートチャネルＩＤ等）に基づいて判定できる。
【００２９】
幾つかの実施形態では、端末が複数のＭＡＣパラメータサブセットを構成し、同時に複数のリソーススケジューリングのインスタンスを受信したとの判定に応じて、ＭＡＣ層においてＭＡＣパラメータサブセットが構成された後に、ＭＡＣパラメータサブセットの優先順位に基づいて、ＭＡＣ層においてＬＣＰ処理を実行し、これにより、ＭＡＣパラメータサブセットに基づいて通信を実行するようにしてもよい。例えば、物理層のリソーススケジューリング情報の複数のインスタンスが同時に受信される。送信の現在のスケジューリングに使用されるＭＡＣパラメータサブセットは、受信した物理層のスケジューリング情報に基づいて判定してもよい。続いて、ＭＡＣパラメータサブセットの優先順位に基づいて、ＭＡＣ層においてＬＣＰ処理を行う。幾つかの実施形態では、現在のスケジューリングに使用されるＭＡＣパラメータサブセットの一部は、ＤＣＩに含まれるＭＡＣパラメータサブセットのＩＤ（トランスポートチャネルＩＤ等）に基づいて判定される。
【００３０】
ある特定の実施形態では、ＭＡＣパラメータサブセットは、トランスポートチャネルインスタンスであってもよい。ＭＡＣパラメータサブセットがトランスポートチャネルインスタンスである場合、ＭＡＣパラメータサブセットは、トランスポートチャネルインスタンスの識別子、トランスポートチャネルの優先順位、トランスポートチャネルインスタンスによってサポートされるＴＴＩ情報または１つ以上のニューメロロジーを示すニューメロロジー情報、各ニューメロロジーに対応するＬＣＰ構成情報、論理チャネルとトランスポートチャネルインスタンスの間のマッピング関係、各ニューメロロジーに対応するＤＲＸ構成情報、各ニューメロロジーに対応するＨＡＲＱ構成情報、各ニューメロロジーに対応するＳＲ構成情報、ＢＳＲ情報、ニューメロロジーに関連するＲＡＣＨ処理に関する構成情報、ニューメロロジーに関連付けられたＳＰＳの構成情報、ＭＡＣデータパケットのフォーマット構成情報、またはＰＨＲが報告する構成情報等によって例示されるパラメータのうちの１つを含む。
【００３１】
幾つかの実施形態では、ＭＡＣ層においてＭＡＣパラメータサブセットを構成するステップは、各ＭＡＣパラメータサブセットの識別子を設定するステップを含み、ＭＡＣパラメータサブセットの識別子は、ＭＡＣパラメータサブセットの他の構成情報の構成のために使用される。ここで、ＭＡＣパラメータサブセットにより特定される他の構成情報は、トランスポートフォーマットセット（transport format set：ＴＳＦ）または変調符号化方式（modulation and coding scheme：ＭＣＳ）のうちの少なくとも１つを含む。
【００３２】
幾つかの実施形態では、ＭＡＣ層においてＭＡＣパラメータサブセットを構成するステップは、各ＭＡＣパラメータサブセットについてＴＴＩ情報または１つ以上のニューメロロジーを示すニューメロロジー情報の少なくとも１つを構成するステップを含む。ここで、ＭＡＣ層においてＭＡＣパラメータサブセットを構成するステップは、更に、ＭＡＣパラメータのサブセットが複数のＴＴＩ情報または複数のニューメロロジー情報で構成されているとの判定に応じて、ＴＴＩ情報またはニューメロロジー情報のそれぞれに優先順位を設定するステップを含む。ここで、ニューメロロジー情報は、ニューメロロジーのデータが他のニューメロロジーのリソースを介して送信されることが許可されているかを示すために使用される第１の情報を含む。
【００３３】
幾つかの実施形態では、ＭＡＣ層においてトランスポートチャネルインスタンス情報を構成するステップは、優先順位に基づいて各ニューメロロジーによってサポートされる論理チャネルリストを構成するステップ、または各ニューメロロジーによってサポートされる各論理チャネルの優先順位を構成するステップのうちの１つを含むことができる。
【００３４】
幾つかの実施形態では、ＭＡＣ層においてトランスポートチャネルインスタンス情報を構成するステップは、更に、パラメータサブセットの識別子と論理チャネルの識別子とを使用して、論理チャネルとＭＡＣパラメータサブセットとの間のマッピング関係を記述することを含む。
【００３５】
幾つかの実施形態では、各ニューメロロジーに対応するＤＲＸ構成情報は、ニューメロロジーに対応するアクティブ化タイマの長さ、ニューメロロジーに対応する非アクティブ化タイマの長さ、ニューメロロジーに対応するアップリンク再送信タイマの長さ、またはニューメロロジーに対応するダウンリンク再送信タイマの長さのうちの少なくとも１つを含む。
【００３６】
幾つかの実施形態では、各ニューメロロジーに対応するＨＡＲＱ構成情報は、ニューメロロジーのアップリンク（ＵＬ）ＨＡＲＱ送信の最大数、ＴＴＩバンドリングをサポートしているか否か、ＨＡＲＱエンティティ内でサポートされるＨＡＲＱ処理の最大数、ニューメロロジー間再送信（cross-numerology retransmission）をサポートしているか否か、キャリア間再送信（cross-carrier retransmission）をサポートしているか否か、またはブラインド再送信（blind retransmission）およびブラインド再送信に関連する情報をサポートしているか否か、のうちの少なくとも１つを含む。
【００３７】
幾つかの実施形態では、各ニューメロロジーに対応するＳＲ構成情報は、少なくとも、ニューメロロジーのデータによってトリガされるＳＲ送信のために使用されるリソースの識別子を含む。
【００３８】
幾つかの実施形態では、ニューメロロジーに関連するＲＡＣＨ処理に関する構成情報は、ＲＡＣＨ処理が異なるニューメロロジーを使用できるかを示す情報、またはニューメロロジーによってプリアンブルを区別するための情報のうちの少なくとも１つを含む。
【００３９】
幾つかの実施形態では、ニューメロロジーに関連するＳＰＳに関する構成情報は、少なくとも、ニューメロロジーがＳＰＳをサポートしているかを示す情報を含む。
【００４０】
幾つかの実施形態では、ＬＣＰ構成情報は、各ニューメロロジーにマッピングされた１つ以上の論理チャネルの優先順位（または複数の優先順位）を含んでもよい。
【００４１】
図３は、本願におけるＭＡＣ層のアーキテクチャを示す概略図である。本願では、ＭＡＣ層のアーキテクチャは、主にトランスポートチャネルを介して論理チャネルのデータ送信を行い、無線リソースを割り当てて、ＨＡＲＱ、ＬＣＰ、多重化等を実現する。更に、ランダムアクセス制御、ＤＲＸ、ＳＲ、ＢＳＲ、ＰＨＲ、ＡＣＴＩＶＥ／ＤＥＡＣＴＩＶＥ、ＰＤＣＣＨ監視、ＴＡ保守、ＳＰＳ等の機能も含む。更に、本願におけるＭＡＣ層は、更に、ニューメロロジー固有（numerology specific）の機能を実装できる。
【００４２】
以下、本発明のＭＡＣ層におけるトランスポートチャネルインスタンス情報の構成方法および内容について、実施形態を用いて詳細に説明する。なお、以下に説明する様々な実施形態におけるパラメータ値は、単なる例であり、本願の特定の実装法を制限することを意図しない。
【００４３】
実施形態１
本実施形態では、トランスポートチャネルＩＤについて詳細に説明する。
【００４４】
本実施形態では、トランスポートチャネル毎にトランスポートチャネルＩＤを設定する。トランスポートチャネルＩＤは、端末内で一意であり、トランスポートチャネルの他の構成情報を構成するために使用できる。また、トランスポートチャネルの他の構成情報には、トランスポートチャネル優先順位、ＴＦＳ、ＭＣＳ等を含むことができる。
【００４５】
表１は、トランスポートチャネルＩＤの構成例を示している。
【００４６】
【表１】
0006948404.tif 000002
【００４７】
実施形態２
本実施形態では、トランスポートチャネルによってサポートされるＴＴＩ情報またはニューメロロジー情報について詳細に説明する。
【００４８】
各トランスポートチャネルは、１つ以上のＴＴＩまたはニューメロロジーをサポートできる。異なるトランスポートチャネルによってサポートされるＴＴＩまたはニューメロロジーは、部分的に同一であってもよく、全く同一であってもよく、または全く異なるものであってもよい。１つのトランスポートチャネルが複数のＴＴＩまたはニューメロロジーをサポートする場合、優先順位は、ＴＴＩまたはニューメロロジー毎に設定できる。もちろん、優先順位は、構成しなくてもよい。
【００４９】
表２は、トランスポートチャネルによってサポートされるニューメロロジーの情報の構成例を示している。この例では、少なくとも３つのニューメロロジーとして、ニューメロロジー１、ニューメロロジー２、およびニューメロロジー３が構成され、ここで、Ｎ１は、ニューメロロジー１を表し、Ｎ２は、ニューメロロジー２を表し、Ｎ３は、ニューメロロジー３を表す。
【００５０】
【表２】
0006948404.tif 000003
【００５１】
表３は、トランスポートチャネルによってサポートされるＴＴＩの構成例を示している。この例では、少なくとも３つのＴＴＩが構成され、その長さは、それぞれ個別に１ｍｓ、０．５ｍｓ、および０．２５ｍｓである。
【００５２】
【表３】
0006948404.tif 000004
【００５３】
１つのトランスポートチャネルが複数のニューメロロジーをサポートする場合、トランスポートチャネルによってサポートされるニューメロロジーに関する情報は、ニューメロロジーのデータが他のニューメロロジーのリソースを介して送信されることが許可されているかを示すために使用される第１の情報を更に含んでいてもよい。ここで、ニューメロロジーのデータとは、ニューメロロジーで規定された要求をデータ送信が満たす必要があることを指し、ニューメロロジーのリソースとは、ニューメロロジーで規定された要求に基づいてデータを送信できるリソースを指す。
【００５４】
表４は、第１の指示情報の構成例を示している。
【００５５】
【表４】
0006948404.tif 000005
【００５６】
実施形態３
本実施形態では、各ニューメロロジーに対応するＬＣＰ構成情報について詳細に説明する。
【００５７】
幾つかの実施形態では、トランスポートチャネルによってサポートされる各ニューメロロジーに対応するＬＣの処理優先順位を構成することは、各ニューメロロジーによってサポートされるＬＣリストを優先順位に基づいて構成することを含み、これによりＬＣリスト内のＬＣの配列順序を対応する優先順位に反映させてもよい。表５に、この構成法における各ニューメロロジーに対応するＬＣＰ構成情報の一例を示す。
【００５８】
他の具体例では、トランスポートチャネルによってサポートされる各ニューメロロジーに対応するＬＣの処理優先順位を構成する手法は、各ニューメロロジーによってサポートされる各ＬＣの優先順位を構成することであってもよく、これにより、構成された優先順位を比較することによって優先順位関係を取得できる。表７は、この構成法における各ニューメロロジーに対応するＬＣＰ構成情報の例を示す。
【００５９】
【表５】
0006948404.tif 000006
【００６０】
表６は、１つのサービスに対応するＬＣＰ構成情報を示している。
【００６１】
【表６】
0006948404.tif 000007
【００６２】
【表７】
0006948404.tif 000008
【００６３】
実施形態４
本実施形態では、論理チャネルとトランスポートチャネルとの対応関係について詳細に説明する。
【００６４】
実際のアプリケーションでは、論理チャネルとトランスポートチャネルとの間のマッピング関係は、トランスポートチャネルの識別子（トランスポートチャネルＩＤ等）と論理チャネルの識別子（論理チャネルＩＤ等）とを使用して記述できる。
【００６５】
表８は、論理チャネルとトランスポートチャネルの間のマッピング関係の例を示している。
【００６６】
【表８】
0006948404.tif 000009
【００６７】
実施形態５
本実施形態では、各ニューメロロジーに対応するＤＲＸ構成情報について詳細に説明する。
【００６８】
実際のアプリケーションでは、各ニューメロロジーに対応するＤＲＸ構成情報は、ニューメロロジーに対応するアクティブ化タイマ（すなわち、onDurationTimer）の長さ、ニューメロロジーに対応する非アクティブ化タイマ（すなわち、InactivityTimer）の長さ、ニューメロロジーに対応するアップリンク（ＵＬ）再送信タイマの長さ、またはニューメロロジーに対応するダウンリンク（ＤＬ）再送信タイマの長さのうちの１つを含んでもよい。
【００６９】
表９は、各ニューメロロジーに対応するＤＲＸ構成情報の例を示す。
【００７０】
【表９】
0006948404.tif 000010
【００７１】
表１０は、あるサービスに対応するＤＲＸ構成情報を示している。
【００７２】
【表１０】
0006948404.tif 000011
【００７３】
実施形態６
本実施形態では、各ニューメロロジーまたはサービスに対応するＨＡＲＱ構成情報について詳細に説明する。
【００７４】
サービスとニューメロロジーの関係は、特定する必要がある。実際のアプリケーションでは、複数のサービスがある場合、ＨＡＲＱ構成情報は、１つ以上のサービスに対して選択的に構成できる。例えば、合計３つのサービスがある場合、ＨＡＲＱ構成情報は、１つのサービスに対してのみ構成してもよく、ＨＡＲＱ構成情報は、３つのサービスに対して構成してもよい。
【００７５】
各ニューメロロジーに対応するＨＡＲＱ構成情報は、ニューメロロジーのＵＬ  ＨＡＲＱ送信の最大数、ＴＴＩバンドリングをサポートしているか否か、ＨＡＲＱエンティティ内でサポートされるＨＡＲＱ処理の最大数、ニューメロロジー間再送信をサポートしているか、キャリア間再送信をサポートしているか否か、またはブラインド再送信およびブラインド再送信に関連する情報をサポートしているか否か、の１つを含むことができる。
【００７６】
あるサービス（ＵＲＬＬＣ等）に対応するＨＡＲＱ構成情報は、サービスのＵＬ  ＨＡＲＱ送信の最大数、ＴＴＩバンドリングをサポートしているか、ＨＡＲＱエンティティ内でサポートされるＨＡＲＱ処理の最大数、ニューメロロジー間再送信をサポートしているか、キャリア間再送信をサポートしているか、またはブラインド再送信およびブラインド再送信に関連する情報をサポートしているか、の１つを含むことができる。
【００７７】
表１１は、ニューメロロジーに対応するＨＡＲＱ構成情報の例を示している。
【００７８】
【表１１】
0006948404.tif 000012
【００７９】
表１２は、ＵＲＬＬＣ、ｅＭＢＢＣまたはｍＭＴＣに対応するＨＡＲＱ構成情報の例を示している。
【００８０】
【表１２】
0006948404.tif 000013
【００８１】
実施形態７
本実施形態では、各ニューメロロジーまたは１つのサービスに対応するＳＲ構成情報について詳細に説明する。
【００８２】
各ニューメロロジーに対応するＳＲ構成情報は、少なくとも、ニューメロロジーのデータによってトリガされるＳＲ送信に使用されるリソースの識別子を含むことができる。表１３は、各ニューメロロジーに対応するＳＲ構成情報の一例を示す。
【００８３】
サービスに対応するＳＲ構成情報は、少なくとも、サービスのデータによってトリガされるＳＲ送信に使用されるリソースの識別子を含むことができる。表１４は、複数のサービス（ＵＲＬＬＣ、ｅＭＢＢＣ等）に対応するＳＲ構成情報の例を示す。
【００８４】
【表１３】
0006948404.tif 000014
【００８５】
【表１４】
0006948404.tif 000015
【００８６】
実施形態８
本実施形態では、ＲＡＣＨ処理の構成について詳細に説明する。
【００８７】
ニューメロロジーに関連するＲＡＣＨ処理に関する構成情報は、少なくとも、ＲＡＣＨ処理が異なるニューメロロジーを使用することを許可しているかを示す情報、およびニューメロロジーに基づいてプリアンブルを区別するための情報を含むことができる。表１５は、ニューメロロジーに関連するＲＡＣＨ処理に関する構成情報におけるニューメロロジーに基づいてプリアンブルを区別するための情報の例を示す。
【００８８】
サービスに関連するＲＡＣＨ処理に関する構成情報は、少なくとも、ＲＡＣＨ処理が異なるニューメロロジーを使用することを許可しているかを示すための情報、およびニューメロロジーに基づいてプリアンブルを区別するための情報を含むことができる。表１６は、サービスに関連するＲＡＣＨ処理に関する構成情報の例を示している。
【００８９】
【表１５】
0006948404.tif 000016
【００９０】
【表１６】
0006948404.tif 000017
【００９１】
実施形態９
本実施形態では、ＳＰＳ構成について詳細に説明する。
【００９２】
ニューメロロジーに関連するＳＰＳに関する構成情報は、少なくとも、ニューメロロジーがＳＰＳをサポートしているかを示す情報を含むことができる。
【００９３】
サービスに関連付けられたＳＰＳに関する構成情報は、少なくとも、サービスがＳＰＳをサポートしているかを示す情報を含むことができる。
【００９４】
【表１７】
0006948404.tif 000018
【００９５】
【表１８】
0006948404.tif 000019
【００９６】
実施形態１０
本実施形態では、表１９に示すように、ＢＳＲ構成について詳細に説明する。
【００９７】
各トランスポートチャネルは、トランスポートチャネル上で送信可能なＬＣＧのＢＳＲで構成してもよい。
【００９８】
【表１９】
0006948404.tif 000020
【００９９】
実施形態１１
本実施形態では、表２０に示すように、ＭＡＣデータパケットのフォーマット構成について詳細に説明する。
【０１００】
ＭＡＣデータパケットのフォーマット構成情報は、ＬＩ長等を含んでもよい。
【０１０１】
【表２０】
0006948404.tif 000021
【０１０２】
実施形態１２
本実施形態では、ＰＨＲが報告する構成情報について詳細に説明する。
【０１０３】
ＰＨＲが報告する構成情報には、ＰＨＲの算出法やＰＨＲで報告されるサブキャリア範囲が含まれる。
【０１０４】
【表２１】
0006948404.tif 000022
【０１０５】
【表２２】
0006948404.tif 000023
【０１０６】
【表２３】
0006948404.tif 000024
【０１０７】
本開示の実施形態における方法を実施するために、図４に示すように、本開示の実施形態におけるニューメロロジー構成装置は、構成モジュール４１を含んでもよい。
【０１０８】
構成モジュール４１は、ＭＡＣ層動作のＭＡＣパラメータサブセットを構成するように構成される。ここでは、ＭＡＣパラメータサブセットとして、ＭＡＣパラメータサブセットの識別子、ＭＡＣパラメータサブセットの優先順位、ＭＡＣパラメータサブセットによってサポートされるＴＴＩ情報または１つ以上のニューメロロジーを示すニューメロロジー情報、各ニューメロロジーに対応するＬＣＰ構成情報、論理チャネルとＭＡＣパラメータサブセットの間のマッピング関係、各ニューメロロジーに対応するＤＲＸ構成情報、各ニューメロロジーに対応するＨＡＲＱ構成情報、各ニューメロロジーに対応するＳＲ構成情報、ＢＳＲ情報、ニューメロロジーに関連するＲＡＣＨ処理の構成情報、ニューメロロジーに関連付けられたＳＰＳの構成情報、ＭＡＣデータパケットのフォーマット構成情報、またはＰＨＲが報告する構成情報のパラメータのうちの少なくとも１つが構成される。
【０１０９】
この装置は、更に、ＭＡＣパラメータサブセットに基づいて通信を実行するように構成された通信モジュール４２を含むことができる。
【０１１０】
幾つかの実施形態では、構成モジュールは、各ＭＡＣパラメータサブセットの識別子を設定することによって、ＭＡＣ層においてＭＡＣパラメータサブセットを構成するように構成され、ＭＡＣパラメータサブセットの識別子は、ＭＡＣパラメータサブセットの他の構成情報の構成のために使用される。
【０１１１】
幾つかの実施形態では、ＭＡＣパラメータサブセットの識別子の他の構成情報は、ＴＦＳまたはＭＣＳのうちの少なくとも１つを含む。
【０１１２】
幾つかの実施形態では、構成モジュール４１は、各ＭＡＣパラメータサブセットに対してＴＴＩ情報またはニューメロロジー情報の少なくとも１つを構成することによって、ＭＡＣ層においてＭＡＣパラメータサブセットを構成するように構成される。ここで、構成モジュール４１は、更に、ＭＡＣパラメータサブセットが複数のＴＴＩ情報または複数のニューメロロジーによって構成されているとの判定に応じて、複数のＴＴＩ情報または複数のニューメロロジーのそれぞれに対して優先順位を設定することによって、ＭＡＣ層においてＭＡＣパラメータサブセットを構成するように構成される。ニューメロロジー情報は、ニューメロロジーのデータが他のニューメロロジーのリソースを介して送信されることが許可されているかを示すために使用される第１の情報を含む。
【０１１３】
幾つかの実施形態では、構成モジュール４１は、優先順位に基づいて各ニューメロロジーにマッピングされた論理チャネルリストを構成する、または各ニューメロロジーにマッピングされた各論理チャネルの優先順位を構成することによって、ＭＡＣ層においてＭＡＣパラメータサブセットを構成するように構成される。構成モジュール４１は、更に、ＭＡＣパラメータサブセットの識別子および論理チャネルの識別子を使用して論理チャネルとＭＡＣパラメータサブセットとの間のマッピング関係を記述することにより、ＭＡＣ層においてＭＡＣパラメータサブセットを構成するように構成される。
【０１１４】
幾つかの実施形態では、各ニューメロロジーに対応するＤＲＸ構成情報は、ニューメロロジーに対応するアクティブ化タイマの長さ、ニューメロロジーに対応する非アクティブ化タイマの長さ、ニューメロロジーに対応するアップリンク再送信タイマの長さ、またはニューメロロジーに対応するダウンリンク再送信タイマの長さのうちの少なくとも１つを含む。
【０１１５】
幾つかの実施形態では、各ニューメロロジーに対応するＨＡＲＱ構成情報は、ニューメロロジーのＵＬ  ＨＡＲＱ送信の最大数、ＴＴＩバンドリングをサポートしているか、ＨＡＲＱエンティティ内でサポートされるＨＡＲＱ処理の最大数、ニューメロロジー間再送信をサポートしているか、キャリア間再送信をサポートしているか、またはブラインド再送信およびブラインド再送信に関連する情報をサポートしているかのうちの少なくとも１つを含む。
【０１１６】
幾つかの実施形態では、各ニューメロロジーに対応するＳＲ構成情報は、少なくとも、ニューメロロジーのデータによってトリガされるＳＲ送信のために使用されるリソースの識別子を含む。
【０１１７】
幾つかの実施形態では、ニューメロロジーに関連するＲＡＣＨ処理に関する構成情報は、ＲＡＣＨ処理が異なるニューメロロジーを使用できるかを示す情報、またはニューメロロジーによってプリアンブルを区別するための情報のうちの少なくとも１つを含む。
【０１１８】
幾つかの実施形態では、ニューメロロジーに関連するＳＰＳに関する構成情報は、少なくとも、ニューメロロジーがＳＰＳをサポートしているかを示す情報を含む。
【０１１９】
幾つかの実施形態では、通信モジュール４２は、ＭＡＣパラメータサブセットに基づいて次のように通信を実行するように構成される。リソーススケジュールの複数のインスタンスに対して複数のＭＡＣパラメータサブセットが構成されている場合、複数のＭＡＣパラメータサブセットのうちの１つを使用して、ネットワーク側から毎回受信するリソーススケジュールの送受信を行う。
【０１２０】
幾つかの実施形態では、通信モジュール４２は、ＭＡＣパラメータサブセットに基づいて次のように通信を実行するように構成される。リソーススケジューリングの複数のインスタンスの受信に応じて、リソーススケジューリングの複数のインスタンスによる送信または受信が、異なるＭＡＣパラメータサブセットを使用して実行される。
【０１２１】
幾つかの実施形態では、ＭＡＣ層において複数のＭＡＣパラメータサブセットを構成した後、構成モジュール４１は、受信した物理層スケジューリング情報に基づいて、現在のスケジューリングに使用されるＭＡＣパラメータサブセットのうちの１つを判定するように更に構成される。構成モジュール４１は、ＤＣＩ等の物理層リソーススケジューリング情報に含まれるＭＡＣパラメータサブセットのＩＤを判定することにより、現在のスケジューリングに使用されるＭＡＣパラメータサブセットの１つを判定するように構成される。
【０１２２】
幾つかの実施形態では、ＭＡＣ層において複数のＭＡＣパラメータサブセットを構成した後、構成モジュール４１は、更に次のように構成される。ＭＡＣパラメータサブセットの構成とリソーススケジューリングの複数インスタンスの同時受信に応じて、ＭＡＣパラメータサブセットの優先順位に基づいてＭＡＣ層においてＬＣＰ処理を行う。
【０１２３】
幾つかの実施形態では、ＭＡＣパラメータサブセットがトランスポートチャネルインスタンスであり、このＭＡＣパラメータサブセットがトランスポートチャネルインスタンスであるとの判定に応じて、ＭＡＣパラメータサブセットは、トランスポートチャネルインスタンスの識別子、トランスポートチャネルの優先順位、トランスポートチャネルインスタンスによってサポートされるＴＴＩ情報またはニューメロロジー情報、各ニューメロロジーに対応するＬＣＰ構成情報、論理チャネルとトランスポートチャネルインスタンス間のマッピング関係、各ニューメロロジーに対応するＤＲＸ構成情報、各ニューメロロジーに対応するＨＡＲＱ構成情報、各ニューメロロジーに対応するＳＲ構成情報、ＢＳＲ情報、ニューメロロジーに関連するＲＡＣＨ処理に関する構成情報、ニューメロロジーに関連付けられたＳＰＳの構成情報、ＭＡＣデータパケットのフォーマット構成情報、またはＰＨＲが報告する構成情報のパラメータのうちの１つを含む。
【０１２４】
幾つかの実施形態では、ＬＣＰ構成情報は、各ニューメロロジーにマッピングされた１つ以上の論理チャネルの優先順位を含む。
【０１２５】
幾つかの実施形態では、ＭＡＣ層の構造は、ＨＡＲＱ、ＬＣＰ、ＭＵＸ、ランダムアクセス制御、ＤＲＸ、ＳＲ、ＢＳＲ、ＰＨＲ、ＡＣＴＩＶＥ／ＤＥＡＣＴＩＶＥ、ＰＤＣＣＨ監視、ＴＡ保守、ＳＰＳ、またはニューメロロジー固有の機能の１つまたは任意の組合せを含む。
【０１２６】
本願における他のニューメロロジー構成装置は、プロセッサとメモリとを含み、メモリは、プロセッサによって実行されると、以下に記載される方法を実施するコンピュータ実行可能命令を格納するように構成される。
【０１２７】
ＭＡＣ層動作用にパラメータサブセットが構成され、ＭＡＣパラメータサブセットは、ＭＡＣパラメータサブセットの識別子、ＭＡＣパラメータサブセットの優先順位、ＭＡＣパラメータサブセットによってサポートされるＴＴＩ情報またはニューメロロジー情報、各ニューメロロジーに対応するＬＣＰ構成情報、論理チャネルとＭＡＣパラメータサブセットの間のマッピング関係、各ニューメロロジーに対応するＤＲＸ構成情報、各ニューメロロジーに対応するＨＡＲＱ構成情報、各ニューメロロジーに対応するＳＲ構成情報、ＢＳＲ情報、ニューメロロジーに関連するＲＡＣＨ処理の構成情報、ニューメロロジーに関連付けられたＳＰＳの構成情報、ＭＡＣデータパケットのフォーマット構成情報、またはＰＨＲが報告する構成情報のうちの少なくとも１つを含む。
【０１２８】
コンピュータ実行可能命令は、更に、プロセッサによって実行されると、ＭＡＣ層においてＭＡＣパラメータサブセットを構成した後、ＭＡＣパラメータサブセットに基づいて通信を行う方法を実施する。
【０１２９】
本実施形態の装置は、本願のニューメロロジー構成方法および上述の様々な実施形態の全ての詳細を実施でき、実施原理は、同じであるため、ここでは繰り返さない。
【０１３０】
本願が提供するニューメロロジー構成装置は、異なるサービスの要求を満たすために複数のニューメロロジーをサポートしながら、ＭＡＣ層が様々な機能の通常の動作を維持し、様々な機能の効率を最大化することを可能にする。
【０１３１】
実際のアプリケーションでは、ＵＥや基地局等の通信デバイスにニューメロロジー構成装置を設け、ＵＥや基地局等の通信デバイスがトランスポートチャネルインスタンスの情報に基づいて通信を行うようにしてもよい。例えば、ネットワーク側は、共通シグナリングメッセージおよび／または専用シグナリングメッセージを介して、トランスポートチャネルインスタンスの情報を端末に通知できる。端末上の構成モジュール４１は、ネットワーク側からトランスポートチャネルインスタンスの情報を受信し、ローカルＭＡＣ層においてトランスポートチャネルインスタンスの情報を構成してもよく、通信モジュール４２は、トランスポートチャネルインスタンスの情報を使用して通信を行ってもよい。
【０１３２】
更に、本アプリケーションの一実施形態は、コンピュータ実行可能命令が実行されると、ニューメロロジー構成方法を実施するためのコンピュータ実行可能命令を格納するように構成されたコンピュータ可読記憶媒体を提供する。
【０１３３】
オプションとして、本実施形態では、記憶媒体は、以下に限定されるものではないが、ＵＳＢフラッシュディスク、読出専用メモリ（read-only memory：ＲＯＭ）、ランダムアクセスメモリ（random access memory：ＲＡＭ）、モバイルハードディスク、磁気ディスク、光ディスク、またはプログラムコードを記憶できる他の媒体を含むことができる。
【０１３４】
オプションとして、本実施形態では、プロセッサは、記憶媒体に記憶されたプログラムコードに基づいて、上述の実施形態における方法のステップを実行する。
【０１３５】
オプションとして、本実施形態における具体例においては、上述した実施形態および任意の実施形態で説明した例を適宜参照でき、本実施形態では説明を繰り返さない。
【０１３６】
上述の方法における全てまたは幾つかのステップは、プログラムによって指示されて、関連するハードウェア（プロセッサ等）によって実施でき、プログラムは、ＲＯＭ、磁気ディスク、または光ディスク等のコンピュータ可読記憶媒体に記憶できることは、当業者にとって明らかである。オプションとして、上述の実施形態における全てまたは幾つかのステップは、１つ以上の集積回路を使用することによって実施することもできる。したがって、上述した実施形態におけるモジュール／ユニットは、ハードウェアによって実現してもよい。例えば、これらのモジュール／ユニットの機能は、集積回路によって実現してもよい。あるいは、これらのモジュール／ユニットは、ソフトウェア機能モジュールによって実現してもよい。例えば、これらのモジュール／ユニットの機能は、プロセッサを使用して、メモリに格納されたプログラム／命令を実行することによって実現してもよい。本願は、ハードウェアとソフトウェアの特定の組み合わせに限定されない。
【０１３７】
以上、本願の基本原理、主な特徴および利点を図示および説明した。本願は、上述の実施形態に限定されない。上述の実施形態および明細書は、本願の原理のみを記載している。本願の思想および範囲から逸脱することなく、本願において様々な修正および改良を行うことができる。これらの修正および改良は、本願の範囲内である。
【産業上の利用可能性】
【０１３８】
本開示の実施形態によって提供される技術的解決策は、ＭＡＣ層が、様々なサービスの要件を満たすために複数のニューメロロジーをサポートしながら、様々な機能の通常の動作を維持し、様々な機能の効率を最大化することを可能にする。
【図１】
0006948404.tif 000025
【図２】
0006948404.tif 000026
【図３】
0006948404.tif 000027
【図４】
0006948404.tif 000028